(57)【要約】【課題】  記録紙の積載枚数に影響（騒音レベル）を受けない給紙装置およびこれを備えた画像記録装置を提供する。【解決手段】  記録紙を積載するための給紙トレイ１９と、前記給紙トレイ底面により一端縁を軸支された記録紙積載板２０と、前記記録積載板２０を前記給紙トレイ底面から上方へ弾性付勢する付勢手段２１とを備えた給紙装置において、前記付勢手段２１と前記記録紙積載板２０との間に防振部材２２を設ける。【選択図】        図２
2005170520.tif 000002
【特許請求の範囲】
【請求項１】
記録紙を積載するための給紙トレイと、前記給紙トレイにより一端縁を上下動可能に軸支された記録紙積載板と、前記記録積載板を前記給紙トレイ底面から上方へ弾性付勢する付勢手段とを備えた給紙装置において、前記付勢手段と前記記録紙積載板との間に防振部材を設けることを特徴とする給紙装置。
【請求項２】
記録紙を積載するための給紙トレイと、前記給紙トレイにより一端縁を上下動可能に軸支された記録紙積載板と、前記底板を給紙トレイ底面から上方へ弾性付勢する付勢手段と、前記記録紙積載板上の記録紙の上面に接して記録紙を給紙する給紙コロと、この給紙コロによって給紙される記録紙を分離する摩擦パッドとを備えた給紙装置において、前記付勢手段と前記記録紙積載板との間に防振部材を設けることを特徴とする給紙装置。
【請求項３】
前記付勢手段である押し上げ用ばねと給紙トレイとの間に防振部材を設けることを特徴とする請求項１または２記載の給紙装置。
【請求項４】
前記防振部材をゴム材とすることを特徴とする請求項１または２記載の給紙装置。
【請求項５】
前記防振部材をクロロプレンゴムとすることを特徴とする請求項１または２記載の給紙装置。
【請求項６】
前記記録紙積載板である底板に制振部材を貼り付けることを特徴とする請求項１ないし４記載の給紙装置。
【請求項７】
前記給紙装置をユニット化し多段積載したことを特徴とする請求項１ないし５記載の給紙装置。
【請求項８】
請求項１ないし７記載の給紙装置を使用することを特徴とする画像記録装置。
【請求項９】
請求項８記載の画像記録装置を使用することを特徴とするファクシミリ装置。
【請求項１０】
請求項１ないし６記載の給紙装置を使用することを特徴とする画像形成装置。
【発明の詳細な説明】
【技術分野】
【０００１】
本発明は、複写機、プリンタ、ファクシミリ装置等の画像形成装置に使用する給紙装置に関する。
【背景技術】
【０００２】
記録紙を分離・搬送する給紙装置において、近年環境問題としての騒音低減が要望されている。また、上記の給紙装置において、記録紙の積載枚数の多寡によって騒音レベルに差が起きることが分かっている（例えば特許文献１ないし３参照）。
【特許文献１】特開２００２−２４０９６６公報
【特許文献２】特開平０７−３０９４５８号公報
【特許文献３】特開２００３−０８９４３７公報
【発明の開示】
【発明が解決しようとする課題】
【０００３】
しかしながら、環境問題として取り上げられ要望が増しているにも拘わらず騒音低減を簡単に解消することができる技術は未だ開発、提案されておらず、上記した給紙装置における記録紙の積載枚数の違いによって起きる騒音レベルの差も解消できる簡単な技術が求められている。
本発明の目的は、上述した実情を考慮してなされたもので、記録紙の積載枚数に影響（騒音レベル）を受けない給紙装置およびこれを備えた画像記録装置を提供することにある。
【課題を解決するための手段】
【０００４】
上記の課題を解決するために、請求項１に記載の発明は、記録紙を積載するための給紙トレイと、前記給紙トレイ底面により一端縁を軸支された記録紙積載板と、前記記録積載板を前記給紙トレイ底面から上方へ弾性付勢する付勢手段とを備えた給紙装置において、前記付勢手段と前記記録紙積載板との間に防振部材を設ける給紙装置を特徴とする。
また、請求項２に記載の発明は、記録紙を積載するための給紙トレイ、前記給紙トレイ底面により一端縁を軸支された記録紙積載板と、前記底板を給紙トレイ底面から上方へ弾性付勢する付勢手段と、前記記録紙積載板上の記録紙の上面に接して記録紙を給紙する給紙コロと、この給紙コロによって給紙される記録紙を分離する摩擦パッドとを備えた給紙装置において、前記付勢手段と前記記録紙積載板との間に防振部材を設ける給紙装置を特徴とする。
また、請求項３に記載の発明は、前記付勢手段である押し上げ用ばねと給紙トレイとの間に防振部材を設ける請求項１または２記載の給紙装置を特徴とする。
また、請求項４に記載の発明は、前記防振部材をゴム材とする請求項１または２記載の給紙装置を特徴とする。
また、請求項５に記載の発明は、前記防振部材をクロロプレンゴムとする請求項１または２記載の給紙装置を特徴とする。
また、請求項６に記載の発明は、前記記録紙積載板である底板に制振部材を貼り付ける請求項１ないし４記載の給紙装置を特徴とする。
また、請求項７に記載の発明は、ユニット化し多段積載した請求項１ないし５記載の給紙装置を特徴とする。
また、請求項８に記載の発明は、請求項１ないし６記載の給紙装置を使用する画像記録装置を特徴とする。
また、請求項９に記載の発明は、請求項８記載の画像記録装置を使用するファクシミリ装置を特徴とする。
また、請求項１０に記載の発明は、請求項１ないし６記載の給紙装置を使用する画像形成装置を特徴とする。
【発明の効果】
【０００５】
本発明によれば、付勢手段である押し上げ用ばねと記録紙積載板である底板との間に防振材を設けることによって騒音の低減が図れる給紙装置およびこれを使用する画像形成装置を提供できる。
【発明を実施するための最良の形態】
【０００６】
以下、図面を参照して、本発明の実施形態を詳細に説明する。図１は本発明による給紙装置を適用し得る、画像形成装置としてのファクシミリ装置を示す概略図である。
図１において、原稿読み取り部Ａは、原稿搬送用のローラ１、２、分離ローラ３、搬送ベルト４、ピックアップローラ５、圧板６から構成されている。レーザユニット８からのレーザ光による露光により作像部ＢであるＡＩＯカートリッジ７のＯＰＣ感光体１２に原稿画像に対応した静電潜像が形成される。
一方、給紙部Ｃでは、給紙トレイ１９内に積載された記録紙の最上部の一枚が給紙コロ９および分離パッド１０を通ってレジストローラ１１に送られ、ここでＯＰＣ感光体１２とタイミングを合わせて転写ローラ１３に送られ、ＯＰＣ感光体１２上の静電潜像が転写される。
転写画像を有する記録紙は次いで定着ローラ１４および回転圧ローラ１５のニップ間に搬送されて画像定着され、定着・排紙部Ｄで分離爪１７により分離されて排出される。なお、図中符号１８はクリーニングパッドである。
【０００７】
図２は本発明による給紙装置の給紙トレイの実施の形態を示す概略図である。給紙トレイ１９内には底板（記録紙積載板）２０がその一端を上下動可能に軸支されて枢動可能に配置されている。ばね（付勢手段）２１は、底板２０を押し上げる方向へ付勢している。
底板２０の裏面には制振部材２４が貼り付けられ、また、ばね２１が接触する底板２０の裏面には防振部材２２が貼り付けられている。防振部材２２に接触するばね２１の反対端、すなわち、給紙トレイ１９の底面にも防振部材２３が貼り付けられる。防振部材２２はゴム材で作られてもよく、また、クロロプレンゴムで構成しても良い。
以上の構成によって底板２０の振動が抑えられ、これによって、底板２０に記録紙が多く積載されている場合と、記録紙が無い場合に起きる底板２０の振動による騒音を防止でき騒音レベルを低減した給紙装置を実現する。従って、積載記録紙枚数の多寡に関係なく、騒音発生を有効、確実に防止できる。
本発明によれば、押し上げ用ばね２１と給紙トレイ１９の底面との間に防振部材２３を設けることで騒音の低減が図れた。また、低コスト化で騒音低減が図れた。底板２０の振動を抑えることで騒音低減が図れた。
画像記録装置、ファクシミリ装置、或いは画像形成装置に対して、本発明の給紙装置を適用することにより、給紙装置の多段化を実現した場合の給紙時の騒音を低減することが可能となる。
図３は本発明の構成を含んでいる給紙装置を給紙ユニット化した多段給紙の構成を簡単に示す概略図である。図では３段の給紙ユニットを備えた構成を示している。給紙ユニット２５はそれぞれ本体内に配置されている。
このように多段給紙構造とした場合にも、騒音の低減が可能となる。
【図面の簡単な説明】
【０００８】
【図１】発明による給紙装置を適用し得る、画像形成装置としてのファクシミリ装置を示す概略図。
【図２】本発明による給紙装置の給紙トレイの実施の形態を示す概略図。
【図３】本発明の構成を含んでいる給紙装置を給紙ユニット化した多段給紙の構成を簡単に示す概略図。
【符号の説明】
【０００９】
９  給紙コロ
１０  分離パッド（摩擦パッド）
１９  給紙トレイ
２０  記録紙積載板（底板）
２１  付勢手段（押し上用げばね）
２２  防振部材
２３  防振部材
２４  制振部材
２５  給紙カセット
【図１】
2005170520.tif 000003
【図２】
2005170520.tif 000004
【図３】
2005170520.tif 000005